(57)【要約】【課題】外観を向上できるネジカバーを備えた空気調和機の室内機を提供する。【解決手段】空気調和機の室内機は、ケーシング本体と、吹出口（１０）を有し、ケーシング本体に取り付けられたパネル（２）と、ケーシング本体とパネル（２）とを固定するネジと、吹出口（１０）の長手方向の長さと実質的に同じ長さを有しており、吹出口（１０）の長手方向に沿ってネジを覆うようにパネル（２）に取り付けられたネジカバー（８０）とを備える。【選択図】図５
2018197640.tif 000002
【特許請求の範囲】
【請求項１】
ケーシング本体（１）と、
吹出口（１０）を有し、上記ケーシング本体（１）に取り付けられたパネル（２）と、
上記ケーシング本体（１）と上記パネル（２）とを固定するネジ（９０Ａ，９０Ｂ）と、
上記吹出口（１０）の長手方向の長さと実質的に同じ長さを有しており、上記吹出口（１０）の長手方向に沿って上記ネジ（９０Ａ，９０Ｂ）を覆うように上記パネル（２）に取り付けられたネジカバー（８０，１８０）と
を備えることを特徴とする空気調和機の室内機。
【請求項２】
請求項１に記載の空気調和機の室内機において、
上記ネジ（９０Ａ，９０Ｂ）は、上記吹出口（１０）の内側で、上記パネル（２）に取り付けられており、
上記ネジカバー（８０）は、上記吹出口（１０）の内側で、上記吹出口（１０）の長手方向に沿って上記ネジ（９０Ａ，９０Ｂ）を覆うように上記パネル（２）に取り付けられていることを特徴とする空気調和機の室内機。
【請求項３】
請求項１又は２に記載の空気調和機の室内機において、
上記ネジカバー（８０）は、上記パネル（２）に対して移動可能に上記パネル（２）に支持されており、
上記ネジカバー（８０）の移動によって、上記ネジ（９０Ａ，９０Ｂ）を覆う閉鎖位置と、上記ネジ（９０Ａ，９０Ｂ）を露出する開放位置とを切り替えることを特徴とする空気調和機の室内機。
【請求項４】
請求項１又は２に記載の空気調和機の室内機において、
上記ネジカバー（１８０）は、上記パネル（２）に対して回動可能に上記パネル（２）に支持されており、
上記ネジカバー（１８０）の回動によって、上記ネジ（９０Ａ，９０Ｂ）を覆う閉鎖位置と、上記ネジ（９０Ａ，９０Ｂ）を露出する開放位置とを切り替えることを特徴とする空気調和機の室内機。
【請求項５】
請求項１から４のいずれか１項に記載の空気調和機の室内機において、
上記ネジカバー（８０，１８０）は、弾性変形可能な係止爪（８２Ａ，８２Ｂ，８２Ｃ）と、上記係止爪（８２Ａ，８２Ｂ，８２Ｃ）と係合可能な爪係合部（９１Ａ，９１Ｂ，９１Ｃ）のうちの一方を備え、
上記パネル（２）は、上記係止爪（８２Ａ，８２Ｂ，８２Ｃ）と、上記爪係合部（９１Ａ，９１Ｂ，９１Ｃ）のうちの他方を備え、
上記係止爪（８２Ａ，８２Ｂ，８２Ｃ）と上記爪係合部（９１Ａ，９１Ｂ，９１Ｃ）が係合することで、上記パネル（２）に上記ネジカバー（８０，１８０）が取り付けられていることを特徴とする空気調和機の室内機。
【請求項６】
請求項１から５のいずれか１項に記載の空気調和機の室内機において、
上記ネジカバー（８０，１８０）は、上記吹出口（１０）の通風路（Ｐ）の一部を形成する案内面（８１）を有することを特徴とする空気調和機の室内機。
【発明の詳細な説明】
【技術分野】
【０００１】
本発明は、空気調和機の室内機に関する。
【背景技術】
【０００２】
従来、空気調和機の室内機としては、前面パネルと背面箱とをネジで固定するものがある（特許文献１参照）。この空気調和機の室内機では、前面パネルにおいて、吹出口に沿う部分の一部に設けられた凹部にネジカバーを取り付けている。
【先行技術文献】
【特許文献】
【０００３】
【特許文献１】実開平２−１１６６２１号公報
【発明の概要】
【発明が解決しようとする課題】
【０００４】
しかし、上記従来の空気調和機の室内機は、前面パネルの吹出口に沿う部分の一部に、前面パネルとネジカバーとの継ぎ目が存在し、この継ぎ目が外部から視認され得る構造となっているため、外観が損なわれるという問題がある。
【０００５】
そこで、この発明の課題は、外観を向上できるネジカバーを備えた空気調和機の室内機を提供することにある。
【課題を解決するための手段】
【０００６】
この発明の一態様に係る空気調和機の室内機は、
ケーシング本体と、
吹出口を有し、上記ケーシング本体に取り付けられたパネルと、
上記ケーシング本体と上記パネルとを固定するネジと、
上記吹出口の長手方向の長さと実質的に同じ長さを有しており、上記吹出口の長手方向に沿って上記ネジを覆うように上記パネルに取り付けられたネジカバーと
を備えることを特徴とする。
【０００７】
上記構成の空気調和機の室内機によれば、ネジカバーは、パネルの吹出口の長手方向に沿う部分を吹出口の長手方向の全長に渡って覆うため、パネルの吹出口の長手方向に沿う部分にパネルとネジカバーとの継ぎ目が形成されない。このため、空気調和機の室内機の外観を向上できる。
【０００８】
１実施形態では、
上記ネジは、上記吹出口の内側で、上記パネルに取り付けられており、
上記ネジカバーは、上記吹出口の内側で、上記吹出口の長手方向に沿って上記ネジを覆うように上記パネルに取り付けられている。
【０００９】
１実施形態では、
上記ネジカバーは、上記パネルに対して移動可能に上記パネルに支持されており、
上記ネジカバーの移動によって、上記ネジを覆う閉鎖位置と、上記ネジを露出する開放位置とを切り替える。
【００１０】
上記実施形態では、ネジカバーがパネルに支持された状態で、ネジカバーを移動することによって、ネジを露出させることができるため、据え付け又はメンテナンス等の作業を行う際に、ネジカバーをパネルから取り外す必要がない。また、ネジカバーは、パネルに対して移動可能であるため、上記閉鎖位置と上記開放位置とを容易に切り替えできる。このため、据え付け又はメンテナンス等の作業性が向上する。
【００１１】
１実施形態では、
上記ネジカバーは、上記パネルに対して回動可能に上記パネルに支持されており、
上記ネジカバーの回動によって、上記ネジを覆う閉鎖位置と上記ネジを露出する開放位置とを切り替える。
【００１２】
上記実施形態では、ネジカバーがパネルに支持された状態で、ネジカバーを回動することによって、ネジを露出させることができるため、据え付け又はメンテナンス等の作業を行う際に、ネジカバーをパネルから取り外す必要がない。また、ネジカバーは、パネルに対して回動可能であるため、上記閉鎖位置と上記開放位置とを容易に切り替えできる。このため、据え付け又はメンテナンス等の作業性が向上する。
【００１３】
１実施形態では、
上記ネジカバーは、弾性変形可能な係止爪と、上記係止爪と係合可能な爪係合部のうちの一方を備え、
上記パネルは、上記係止爪と、上記爪係合部のうちの他方を備え、
上記係止爪と上記爪係合部が係合することで、上記パネルに上記ネジカバーが取り付けられている。
【００１４】
上記実施形態では、ネジカバーの係止爪又は爪係合部の一方と、パネルの係止爪又は爪係合部の他方とが係合することで、ネジがネジカバーによって覆われた状態で、パネルにネジカバーを簡単に固定できる。
【００１５】
１実施形態では、
上記ネジカバーは、上記吹出口の通風路の一部を形成する案内面を有する。
【００１６】
上記実施形態では、ネジカバーの案内面によって、吹出口の通風路において円滑な流れを形成するので、吹出口からの吹出空気の流れを妨げない。また、空気調和機の室内機の性能を確保するために、吹出口の通風路を形成するための部品を別途配置する必要がない。このため、空気調和機の室内機の送風性能と美観を確保しつつ、吹出口の構造を簡略化できる。
【発明の効果】
【００１７】
本発明の空気調和機の室内機によれば、パネルの吹出口の長手方向に沿う部分を、吹出口の長手方向の長さと実質的に同じ長さのネジカバーで覆うことによって、外観を向上できる。
【図面の簡単な説明】
【００１８】
【図１】図１はこの発明の第１実施形態の空気調和機の室内機の斜め下方から見た斜視図である。
【図２】図２は上記室内機の下面図である。
【図３】図３は図２のＩＩＩ−ＩＩＩ線から見た断面図である。
【図４】図４は上記室内機のパネルやドレンパンなどを外した状態を示す下面図である。
【図５】図５は上記室内機のフラップを外した状態を示す下面図である。
【図６】図６はこの発明の第１実施形態のネジカバーの斜視図である。
【図７】上記ネジカバーの下面図である。
【図８】図８は上記室内機の上記ネジカバーを外した状態を示す下面図である。
【図９】図９は上記ネジカバーが閉鎖位置にあるときの図８のＩＸ−ＩＸ線から見た断面図である。
【図１０】図１０は上記ネジカバーが開放位置にあるときの図９と同様の図である。
【図１１】図１１はこの発明の第２実施形態の空気調和機の室内機の図９と同様の図である。
【発明を実施するための形態】
【００１９】
以下、この発明の空気調和機の室内機を図示の実施の形態により詳細に説明する。
【００２０】
（第１実施形態）
図１はこの発明の第１実施形態の空気調和機の室内機の斜め下方から見た斜視図を示している。この室内機は、天井埋め込み型の室内機である。
【００２１】
この第１実施形態の室内機は、図１に示すように、ケーシング本体１と、ケーシング本体１の下側に取り付けられた矩形状のパネル２と、パネル２に着脱可能に取り付けられたグリル３とを備えている。上記ケーシング本体１とパネル２およびグリル３でケーシングを構成している。
【００２２】
ケーシング本体１は、下方が開口した箱状であり、図示しない天井に設けられた設置用開口に挿入されて設置されている。
【００２３】
上記パネル２の長手方向の一方に、パネル２の短辺に沿って吹出口１０を設けている。また、パネル２の吹出口１０にフラップ２０を回動可能に取り付けている。図１では、フラップ２０により吹出口１０が閉じられた状態を示す。
【００２４】
また、上記ケーシング本体１の第２壁部１２（図４に示す）から突出するようにドレンソケット７を設けている。このドレンソケット７に外部からドレンホース(図示せず)を接続する。また、配管接続部５,６を、ケーシング本体１の第２壁部１２（図４に示す）から突出するように設けている。この配管接続部５,６に、外部から冷媒配管(図示せず)を接続する。
【００２５】
なお、図１において、８は電装品部であり、１０１〜１０３は、ケーシング本体１から側方に突出するように夫々設けられた吊り金具である。
【００２６】
また、図２は上記室内機の下面図を示している。図２において、図１と同一の構成部には同一参照番号を付している。
【００２７】
図２に示すように、ケーシング本体１の中央部分に吸込口１ａを設けている。この吸込口１ａとグリル３との間にフィルタ４(図４に示す)を取り付けている。
【００２８】
図１及び図２を参照すると、パネル２は、パネル本体部２０１（図９に示す）と、第１〜第４枠部２０２ａ〜２０２ｄで形成された枠体とを備える。第１枠部２０２ａと第２枠部２０２ｂは、パネル２の短手方向に延び、互いに平行かつ対向している。第３枠部２０２ｃは、パネル２の長手方向に延び、第１枠部２０２ａと第２枠部２０２ｂの一方の端部間を連結する。第４枠部２０２ｄは、パネル２の長手方向に延び、第１枠部２０２ａと第２枠部２０２ｂの他方の端部間を連結する。
【００２９】
また、図２に示すように、吹出口１０からの吹出空気の風向を制御するフラップ２０は、パネル２の第１枠部２０２ａに沿うように設けられたフラップ本体２０ａと、フラップ本体２０ａの両端部からパネル２の第２枠部２０２ｂに向かって延びる補助フラップ２０ｂとを有する。
【００３０】
図３は図２のＩＩＩ−ＩＩＩ線から見た断面図を示しており、図３において、図１及び図２と同一の構成部には同一参照番号を付している。
【００３１】
図３に示すように、ケーシング本体１内に、モータ３１により駆動されるターボファン３０を配置している。また、ケーシング本体１の吸込口１ａとターボファン３０との間にベルマウス３２を配置している。また、ケーシング本体１内かつターボファン３０の周囲に熱交換器４０と仕切板５０を配置している。さらに、ケーシング本体１内かつ熱交換器４０と仕切板５０の下側にドレンパン６０を配置している。
【００３２】
上記ターボファン３０は、遠心ファンの一例である。また、仕切板５０は、仕切部の一例である。なお、仕切部は、ケーシングと一体に形成されていてもよい。
【００３３】
また、ケーシング本体１内に、ターボファン３０からの吹出空気をパネル２の吹出口１０に案内する通風路Ｐを形成している。
【００３４】
また、図４はパネル２やドレンパン６０などを外した状態の室内機の下面図を示している。
【００３５】
図４に示すように、ケーシング本体１は、吹出口１０（図５に示す）側の第１壁部１１と、その第１壁部１１に対向する第２壁部１２と、第１壁部１１と第２壁部１２との間に設けられ、対向する第３壁部１３と第４壁部１４とを有する。
【００３６】
上記熱交換器４０は、平面視において、第１熱交換部４１と、上記第１熱交換部４１に対してターボファン３０の回転方向（矢印Ｒ１）の上流側に位置する第２熱交換部４２と、上記第１熱交換部４１に対してターボファン３０の回転方向（矢印Ｒ１）の下流側に位置する第３熱交換部４３とを有する。
【００３７】
そして、円弧形状の仕切板５０を介して熱交換器４０の両端を連結して、熱交換器４０と仕切板５０によりターボファン３０を囲んでいる。
【００３８】
上記熱交換器４０の第３熱交換部４３の端部に配管接続部５,６を接続している。また、ケーシング本体１内かつ仕切板５０と第２壁部１２との間の第２壁部１２側に、ドレンポンプ７０を配置している。
【００３９】
前述したように、ケーシング本体１は、吊金具１０１，１０２，１０３，１０４を備える。ケーシング本体１は、上記天井に固定された図示しない吊ボルトと吊金具１０１，１０２，１０３，１０４とが係合することで上方より吊下げ固定される。
【００４０】
また、図５は上記室内機のフラップ２０を外した状態の下面図を示している。図５において、図１〜図４と同一の構成部には同一参照番号を付している。
【００４１】
上記吹出口１０は、図５に示すように、パネル２の第１枠部２０２ａに沿うように設けられた長方形状の第１吹出口部１０ａと、第１吹出口部１０ａの両端部からパネル２の第２枠部２０２ｂに向かって延在する第２吹出口部１０ｂとを有する。図２を併せて参照すると、フラップ２０は、吹出口１０の大部分を覆っている。
【００４２】
本実施形態の空気調和機の室内機ではネジカバー８０が、吹出口１０の内側で、吹出口１０の長手方向に沿ってパネル２に取り付けられている。また、ネジカバー８０は、吹出口１０に沿って配置され、吹出口１０の長手方向の長さと実質的に同じ長さを有する。ここで、実質的に同じ長さとは、ネジカバー８０の長手方向の長さが、吹出口１０の長手方向の長さと完全に同じである場合に加えて、吹出口１０の長手方向の長さと一見して同じである場合を含む。例えば、ネジカバー８０の長手方向の長さは、吹出口１０の長手方向の長さの９０〜１１０％の範囲内に入るようにしてもよい。あるいは、ネジカバー８０の長手方向の長さは、吹出口１０の長手方向の長さの９５〜１０５％の範囲内に入るようにしてもよい。
【００４３】
図６は、本実施形態のネジカバー８０の斜視図を示し、図７は、ネジカバー８０の下面図を示している。
【００４４】
図６及び図７を参照すると、ネジカバー８０は、案内面８１を有する棒状の本体部８０ａと、本体部８０ａの長手方向の両端部に設けられた端部８０ｂ，８０ｃとを備える。案内面８１は、ネジカバー８０の長手方向に直交する断面において、略円弧状の断面形状を有する。ネジカバー８０の端部８０ｂ，８０ｃは、ネジカバー８０の長手方向に直交する方向に膨出している。また、ネジカバー８０の本体部８０ａは、ネジカバー８０の長手方向に直交する方向に突出する係止爪８２Ａを備える。ネジカバー８０の端部８０ｂは、ネジカバー８０の長手方向に直交する方向に突出する係止爪８２Ｂと、ネジカバー８０の長手方向に突出する突起部８３Ａとを備える。ネジカバー８０の端部８０ｃは、ネジカバー８０の長手方向に直交する方向に突出する係止爪８２Ｃと、ネジカバー８０の長手方向に突出する突起部８３Ｂとを備える。本実施形態の係止爪８２Ａ，８２Ｂ，８２Ｃは、弾性変形可能である。
【００４５】
図８は、ネジカバー８０を外した状態の室内機の下面図を示している。図８において、図１〜図７と同一の構成部には同一参照番号を付している。
【００４６】
図８を参照すると、パネル２とケーシング本体１とは、一対のネジ９０Ａ，９０Ｂを含む複数のネジによって固定されている。一対のネジ９０Ａ，９０Ｂは、吹出口１０の内側でパネル２に取り付けられている。パネル２の第１枠部２０２ａには、ネジカバー８０の係止爪８２Ａ，８２Ｂ，８２Ｃとそれぞれ係合可能な爪係合部９１Ａ，９１Ｂ，９１Ｃが形成されている。また、パネル２の第３枠部２０２ｃには、ガイド溝９２Ａが形成され、パネル２の第４枠部２０２ｄには、ガイド溝９２Ｂが形成されている。
【００４７】
図９はネジカバー８０が閉鎖位置にあるときの図８のＩＸ−ＩＸ線から見た断面図を示している。また、図１０は、ネジカバー８０が開放位置にあるときの図９と同様の図を示している。ここで、閉鎖位置とは、ネジカバー８０がネジ９０Ａ，９０Ｂを覆うようなネジカバー８０の位置であり、開放位置とは、ネジ９０Ａ，９０Ｂが外部に露出するようなネジカバー８０の位置である。図９及び図１０において、図１〜図８と同一の構成部には同一参照番号を付している。
【００４８】
本実施形態のネジカバー８０は、パネル２に対して移動可能にパネル２に支持されている。具体的には、ネジカバー８０の端部８０ｂに設けられた突起部８３Ａが、パネル２の第３枠部２０２ｃに形成されたガイド溝９２Ａに案内され、ネジカバー８０の端部８０ｃに設けられた突起部８３Ｂが、パネル２の第４枠部２０２ｄに形成されたガイド溝９２Ｂに案内される。これにより、ネジカバー８０は、パネル２に対して移動可能にパネル２に支持されるとともに、その移動方向がガイド溝９２Ａ，９２Ｂに沿った方向に規制される。本実施形態では、ネジカバー８０の移動によって、ネジカバー８０が一対のネジ９０Ａ，９０Ｂを覆う閉鎖位置（図９参照）と、ネジカバー８０が一対のネジ９０Ａ，９０Ｂを露出する開放位置（図１０参照）とを切り替え可能である。ここで、ネジカバー８０が上記閉鎖位置にあるとき、案内面８１は、吹出口１０の通風路Ｐの一部を形成している。
【００４９】
また、本実施形態では、ネジカバー８０の係止爪８２Ａ，８２Ｂ，８２Ｃと、パネル２の第１枠部２０２ａに設けられた爪係合部９１Ａ，９１Ｂ，９１Ｃとがそれぞれ係合することで、パネル２にネジカバー８０が取り付けられている。
【００５０】
上記構成の空気調和機の室内機によれば、図５に示すように、ネジカバー８０は、パネル２の吹出口１０の長手方向に沿う部分を吹出口１０の長手方向の全長に渡って覆うため、パネル２の吹出口１０の長手方向に沿う部分にパネル２とネジカバー８０との継ぎ目が形成されない。このため、空気調和機の室内機の外観を向上できる。
【００５１】
また、本実施形態では、図１０に示すように、ネジカバー８０がパネル２に支持された状態で、ネジカバー８０を移動させることによって、ネジ９０Ａ，９０Ｂを露出させることができるため、据え付け又はメンテナンスのような作業を行う際に、ネジカバー８０をパネル２から取り外す必要がない。また、ネジカバー８０は、パネル２に対して移動可能であるため、上記閉鎖位置と上記開放位置とを容易に切り替えできる。このため、据え付け又はメンテナンス等の作業性が向上する。
【００５２】
また、本実施形態では、ネジカバー８０の係止爪８２Ａ，８２Ｂ，８２Ｃとパネル２の爪係合部９１Ａ，９１Ｂ，９１Ｃが係合することで、ネジ９０Ａ，９０Ｂがネジカバー８０によって覆われた状態で、パネル２にネジカバー８０を簡単に固定できる。
【００５３】
また、本実施形態では、図９に示すように、ネジカバー８０の案内面８１によって、吹出口１０の通風路Ｐにおいて円滑な流れを形成するので、吹出口１０からの吹出空気の流れを妨げない。また、空気調和機の室内機の送風性能を確保するために、吹出口１０の通風路Ｐを形成するための部品を別途配置する必要がない。このため、空気調和機の室内機の送風性能と美観を確保しつつ、吹出口１０の構造を簡略化できる。
【００５４】
（第２実施形態）
この発明の第２実施形態の空気調和機の室内機は、ネジカバー８０を除いて第１実施形態の空気調和機の室内機と同一の構成をしている。図１１は、第２実施形態の空気調和機の室内機の図９と同様の断面図を示している。図１１において、図１〜図１０と同一の構成部には同一参照番号を付している。
【００５５】
第２実施形態のネジカバー１８０は、パネル２に対して回動可能に取り付けられている。具体的には、ネジカバー１８０は、パネル２の第３枠部２０２ｃ及び第４枠部２０２ｄに対して回動軸１８４を介して回動可能に支持されている。図１１に示すように、ネジカバー１８０は、回動軸１８４を中心に回動することで、上記閉鎖位置（実線参照）と上記開放位置（二点鎖線参照）とを切り替える。
【００５６】
（第３実施形態）
この発明の第３実施形態の空気調和機の室内機は、ネジカバーを除いて第１実施形態の空気調和機の室内機と同一の構成をしており、図５から図１０を援用する。第３実施形態のネジカバー８０は、パネル２に対して着脱可能に取り付けられている。具体的には、本実施形態のネジカバー８０は、弾性変形可能であり、ネジカバー８０全体を弾性変形させることで、パネル２のガイド溝９２Ａ，９２Ｂと、ネジカバー８０の突起部８３Ａ，８３Ｂとを係合又は分離できる。
【００５７】
上記第１〜第３実施形態では、ケーシング本体１とパネル２およびグリル３で構成された直方体形状のケーシングを備えた室内機について説明したが、ケーシングの形状はこれに限らない。
【００５８】
また、上記第１〜第３実施形態では、ネジは、吹出口の内側でパネルに取り付けられていたが、吹出口の外側でパネルに取り付けられてもよい。この場合、ネジカバーは、吹出口の外側で、吹出口の長手方向に沿ってパネルに取り付けられる。
【００５９】
また、上記第１〜第３実施形態では、ネジカバーが係止爪を備え、パネルが爪係合部を備えていたが、ネジカバーが爪係合部を備え、パネルが係止爪を備えてもよい。
【００６０】
また、上記第１〜第３実施形態では、天井埋め込み型の室内機について説明したが、室内機はこれに限らず、天吊り型の室内機にこの発明を適用してもよい。
【００６１】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【符号の説明】
【００６２】
１…ケーシング本体
１ａ…吸込口
２…パネル
３…グリル
４…フィルタ
５,６…配管接続部
７…ドレンソケット
８…電装品部
１０…吹出口
１１…第１壁部
１２…第２壁部
１３…第３壁部
１４…第４壁部
２０…フラップ
３０…ターボファン
３１…モータ
３２…ベルマウス
４０…熱交換器
４１…第１熱交換部
４２…第２熱交換部
４３…第３熱交換部
５０…仕切板(仕切部)
６０…ドレンパン
７０…ドレンポンプ
８０，１８０…ネジカバー
８０ａ…本体部
８０ｂ，８０ｃ…端部
８１…案内面
８２Ａ，８２Ｂ，８２Ｃ…係止爪
８３Ａ，８３Ｂ…突起部
１８４…回動軸
９０Ａ，９０Ｂ…ネジ
９１Ａ，９１Ｂ，９１Ｃ…爪係合部
９２Ａ，９２Ｂ…ガイド溝
２０１…パネル本体部
２０２ａ…第１枠部
２０２ｂ…第２枠部
２０２ｃ…第３枠部
２０２ｄ…第４枠部
【図１】
2018197640.tif 000003
【図２】
2018197640.tif 000004
【図３】
2018197640.tif 000005
【図４】
2018197640.tif 000006
【図５】
2018197640.tif 000007
【図６】
2018197640.tif 000008
【図７】
2018197640.tif 000009
【図８】
2018197640.tif 000010
【図９】
2018197640.tif 000011
【図１０】
2018197640.tif 000012
【図１１】
2018197640.tif 000013